【事件の表示】
　平成　６年特許願第２６１０６１号「ブラシレスモータ」拒絶査定不服審判事件〔平成　８年　４月１６日出願公開、特開平　８−１０３０４７〕について、次のとおり審決する。
【結　論】
　本件審判の請求は、成り立たない。
【理　由】
１．手続の経緯
　本願は、平成６年９月３０日の出願であって、平成１６年１１月２９日付で拒絶査定がなされ、これに対し、平成１７年１月２０日に拒絶査定に対する審判請求がなされるとともに、同年２月１６日付で手続補正がなされたものである。
　
２．平成１７年２月１６日付の手続補正についての補正却下の決定
［補正却下の決定の結論］
　平成１７年２月１６日付の手続補正を却下する。
　
［理由］
（１）補正の内容
　本件補正は、以下の補正事項を含むものである。
　
ａ）特許請求の範囲の請求項１の記載を、
「
円筒部とこの円筒部の底面を閉塞した底壁部とを一体成形したハウジングと、
　
前記ハウジングの円筒部に内装された筒状すべり軸受と、
　
回転中心部に軸を有し該軸が前記円筒部の底面との反対側の開口端より挿入されて前記すべり軸受により回転自在に支持されたロータと、を備えたブラシレスモータにおいて、
　
前記すべり軸受の前記開口端側には前記軸を囲繞する空間を形成する凹部が形成され、
　
前記軸の前記凹部に対応する位置には、環状溝とこれより前記開口端側に位置し外周方向に張り出した鍔部とが設けられ、前記すべり軸受における前記凹部を取り囲む外周壁部に対し前記鍔部が半径方向に対向しており、
　
かつ、前記外周壁部より前記開口端側に位置する前記円筒部の開口端部には、前記外周壁部の端部を覆い内径が前記鍔部の外径より小さいカバー部を有するキャップが固着されている
と補正する。
　
ｂ）明細書の段落【０００８】の記載を、
「【作用】
　前述したブラシレスモータにあっては、すべり軸受の凹部において、軸とすべり軸受との間に形成される隙間よりしみ出る油は、部材表面を伝わってモータ外部に通じる開口部へ移動しようとする。しかし、すべり軸受の凹部内における軸部分には、環状溝および鍔
部に
、軸
加えて、すべり軸受の底面側は円筒部が有底円筒状であることから、ここから油が漏洩することがないだけでなく、すべり軸受の外周壁部より開口端側に位置するハウジングの円筒部の開口端部に、その外周壁部の端部を覆い内径が鍔部の外径より小さいカバー部を有するキャップが固着されていることから、モータが反転状態となっても油がその円筒部の開口端側から漏れにくく軸受の長寿命化につながる。
と補正する。
　
（２）補正事項の検討
ａ）上記補正事項によれば、「（すべり軸受の）外周壁部の端部を覆い内径が（軸に設けられた）鍔部の外径より小さいカバー部を有するキャップ」により（即ち、「キャップ」の径寸法につき、「内径が鍔部の外径より小さい」という条件を有することにより）、「モータが反転状態となっても油がその円筒部の開口端側から漏れにくく軸受の長寿命化につながる」ものと説明されている。
　
ｂ）ところで、願書に最初に添付した明細書（以下、「当初明細書」という。）には、「キャップ」について、次のように記載されている。
　
・「【００１２】
　また、円筒部４の先端部は、図２に示されるように樹脂製の止め部材としてのキャップ４０が装着されている。このキャップ４０は、環状の筒部４０ａとこの筒部４０ａ内において軸方向に装着用の凹溝４０ｂと、下端部に係止め部４０ｃと、内周から曲面状に垂下する曲面部４０ｄとから構成されている。」
　
・「【００１４】
　ロータ２０は、軸４の上端部にロータ２０のボス部１２を挿入固定されている。このボス部１２は、ロータ２０の径方向に広がる平面部１２ａと、平面部１２ａの中央部に遠い方から大径部１２ｂ、中径部１２ｃ、小径部１２ｄを有し、先端部は小径部１２ｄよりやや径方向に突出した突出部１４が形成されている。突出部１４の外径はキャップ４０の曲面部４０ｄの内径よりもわずかに大きく設定されている。なお、中径部１２ｃから小径部１２ｄへは、テーパ状に形成されており、キャップ４０の曲面部４０ｄにわずかな間隙５０ａをあけて対向している。」
　
・「【００１８】
　即ち、第一に円筒部４内に収容されているすべり軸受６は、周壁部４８を径方向内方にキャップ４０が大きく包囲している。従って、装置を転倒状態にした場合や、装置に衝撃が加わった場合、キャップ４０の曲面部４０ｄが油の収容溝となる。これは、この収容溝に溜まった油は、周壁部４８の先端部が油面に達し、多質孔であるすべり軸受６に吸収される。これにより油はモータ外部側へ漏れ出ることが防止される。更にキャップ４０における曲面部４０ｄと（ボス部１２）小径部１２ｄ、キャップ上端部と（ボス部１２）中径部１２ｃ、（ボス部１２）大径部１２ｂとにより、モータ外部へ通じる間隙部分５０ａがラビリンスシール構造を形成し、これはより油の漏出が防止される。」
　
・「【００２４】
　第五に、突出部１４とキャップ４０とで形成される開口部５０は、突出部１４の外径が、キャップ４０の内径よりも大きく設定されているので、モータの反転状態の時に油は、キャップ４０の凹溝におのずと収容される。」
　
・「【００３２】
　　【発明の効果】
  本発明は、以上説明したように構成されているため、次に記載する効果を奏する。本発明のブラシレスモータは、すべり軸受の凹部内において軸に環状溝、鍔部材、そして突出部が径方向に凹凸部を設けられているため、ボス部とキャップとで形成される開口部に油が到達するまでに沿面距離を長くとることができる。これは、油が開口部に到達することが防止される。そして油は、開口部に到達するまでに遠心力によりすべり軸受へ回収される。このため、すべり軸受の油がモータ外部へ流出することが防止される。同時にハウジングの円筒部にキャップを設けることにより、モータ外部に通じる間隙部分がラビリンスシール構造を形成し油漏れを防止できる。従って油の枯渇の心配がないから長寿命のブラシレスモータが実現される。」
　
　以上の記載事項によれば、当初明細書では、「キャップ」に関し、ロータのボス部に形成された突出部の外径がキャップの内径よりも大きく設定されていることにより（即ち、「内径が突出部の外径より小さい」という条件を有する「キャップ」により）、モータの反転状態の時に油はキャップの凹溝に収容されるとされ、また、キャップがすべり軸受の周壁部を径方向内方に大きく包囲していることにより、装置を転倒状態にした場合や、装置に衝撃が加わった場合に、キャップの曲面部が油の収容溝になるとされ、また、すべり軸受の凹部内において軸に環状溝、鍔部材及び突出部が径方向に凹凸部を設けているため、ボス部とキャップとで形成される開口部に油が到達するまでに沿面距離を長くとることができ、油が開口部に到達することが防止されるとされ、さらに、ボス部とキャップとの間隙部分に形成されたラビリンスシール構造により、油漏れを防止できるとされていたものである。
　
ｃ）また、当初明細書には、「鍔部」について、次のように記載されている。
　
・「【０００８】
　　【作用】
　前述したブラシレスモータにあっては、すべり軸受の凹部内において、軸に環状溝、鍔部材、そしてロータの突出部が径方向に凹凸部を形成しているので、軸とすべり軸受との間に形成される隙間よりしみ出る油は、部材表面を伝わってモータ外部に通じる開口部へ移動しようとする。しかし、この軸部分には、環状溝、鍔部材そして突出部によって凹凸が形成されているため、これらにより油が移動する沿面距離は実質的に増長され、これにより油の移動が妨げられる。しかも移動途中における鍔部材や突出部に滞溜した油は、軸回転に伴う遠心力の作用を受けて飛散し、これを取り囲む外周壁部にて受け止められ、すべり軸受に回収される。これにより、すべり軸受内の油は、モータ外部に漏れでないから、軸受の寿命は長くすることができる。」
　
・「【００１５】
　ロータ２０の突出部１４の下方には、円筒状の鍔部材１６が装着されている。鍔部材１６は、ボス部１２の下端面に当接する円筒部１６ａと、その円筒部１６ａの下端縁から径方向に伸びる鍔部１６ｂとからなる。故に、前記突出部１４と鍔部材１６とによって横凹部４６を形成している。
　　【００１６】
　鍔部材１６の下方に位置する軸８は、すべり軸受６の凹部１０において露出している。この露出部分は、全周にわたり削り取られ環状溝１８を形成している。環状溝１８の深さは、軸径の縮小を伴い回転軸心の歪みが生じることがないように設定されている。」
　
・「【００１９】
　第二に、軸方向に沿って形成されているロータ１２の突出部１４、鍔部材１６そして環状溝１８は、軸受よりにじみ出た油がモータ外部に通じる開口部５０まで到達しないように流出対策が施された構造となっている。
　　【００２０】
　即ち、軸８とすべり軸受６との間隙５２からしみ出る油は、遠心力によって径方向外方に一部流動するものもあるが、そのまま環状溝１８へ流動するものもある。そして、環状溝１８内に保持されている油は、開口部５０へ到達するまでにモータ回転中の遠心力により環状溝１８から鍔部材１６の鍔部を伝わって凹部１０の内周に飛散する。そして凹部１０における周壁部４８の内周面に油は付着し、すべり軸受６に回収される。つまり、開口部５０離れた位置で油が保持されるすべり軸受６の表面に飛ばされるので、油が開口部５０を経てモータ外部へ漏出することが防止される。」
　
・「【００２２】
　第三に、鍔部材１６は、環状溝１８に収容された油が転倒状態の時に、油の保持板となる。」
　
　以上の記載事項によれば、当初明細書では、「鍔部」に関し、軸の径方向に凹凸部を形成していることにより、油が移動する沿面距離が実質的に増長されて油の移動が妨げられるとされ、また、移動途中における鍔部に滞溜した油は、軸回転に伴う遠心力の作用を受けて飛散し、すべり軸受に回収されることで、軸受の寿命が長くなるとされ、さらに、鍔部は、軸の環状溝に収容された油が転倒状態の時に油の保持板になるとされていたものである。
　
ｄ）このように、当初明細書では、補正後の、「鍔部の外径より小さいカバー部を有するキャップ」とした構成（即ち、「キャップ」と「鍔部」との相対的な径寸法を規定した構成）、並びに、かかる構成により「モータが反転状態となっても油がその円筒部の開口端側から漏れにくく軸受の長寿命化につながる」という作用効果が奏されることについては、何等記載及び示唆されておらず、さらに、図面を参酌しても、「キャップ」と「鍔部」との径を上記のように特定した構成に基づき上記の作用効果が奏されるとする技術思想を把握することはできない。
　また、上記構成及び作用効果が、当初明細書及び図面の記載から自明の事項であるとも認められない。
　したがって、上記補正事項に係る補正は、願書に最初に添付した明細書又は図面に記載した事項の範囲内においてしたものとは認められない。
　
ｅ）なお、請求人は、平成１７年２月１６日付け手続補正書（方式）において、上記補正後の段落【０００８】の「すべり軸受の外周壁部より開口端側に位置するハウジングの円筒部の開口端部に、その外周壁部の端部を覆い内径が鍔部の外径より小さいカバー部を有するキャップが固着されていることから、モータが反転状態となっても油がその円筒部の開口端側から漏れにくく軸受の長寿命化につながる。」は、当初明細書の段落【００１８】の記載に基づくものである旨主張している。
　しかしながら、該段落【００１８】は上記したとおり、装置を転倒状態にした場合や、装置に衝撃が加わった場合の油の漏出防止について、キャップと周壁部との配置構成、及び、キャップとボス部との配置構成に基づく作用効果として説明がなされているだけであり、キャップと鍔部との相対的な径寸法を規定した構成及び該構成に基づく作用効果が何等記載されていない以上、上記補正の根拠としては到底認めることができない。
　
（３）むすび
　以上のとおり、上記補正事項を含む本件補正は、特許法第１７条の２第３項の規定に適合しないものであり、同法第１５９条第１項の規定において読み替えて準用する同法第５３条第１項の規定により却下を免れない。
　
３．本願発明について
　平成１７年２月１６日付の手続補正は上記のとおり却下されたので、本願の請求項１に係る発明（以下、同項記載の発明を「本願発明」という。）は、平成１６年１０月１２日付手続補正書の特許請求の範囲の請求項１に記載された事項により特定される、以下のとおりのものである。
「軸の一端部に固定されたロータと、前記軸が挿入され前記ロータを回転支持するすべり軸受と、前記すべり軸受が装着されるハウジングと、を備えたブラシレスモータにおいて、
　前記すべり軸受の開口端部には凹部が設けられ、
　前記凹部には前記軸を囲繞する外周壁部が設けられ、
　前記軸の外周部のうち、前記外周壁部と半径方向へ対向する部位には、環状溝及び外周方向へ張り出した鍔部が設けられた、ことを特徴とするブラシレスモータ。」
　
（１）引用例
　原査定の拒絶の理由に引用された特開平６−１９７４８７号公報（以下、「引用例」という。）には、図面と共に次の事項が記載されている。
　
・「【０００９】
【実施例】以下、本発明の一実施例を図面を参照して説明する。
【００１０】図１はモータの断面図で、このモータはハウジング２１の中央部に軸受保持部２２を形成し、その軸受保持部２２内に焼結メタル含有軸受２３を嵌挿固定し、また断面コ字状のロータ２４を回転軸２５の一端側にロータブッシュ２６を使用して固定し、その回転軸２５を前記焼結メタル含有軸受２３により回転自在に支持している。
【００１１】そして前記軸受保持部２２の外周面にステータ２７を取付け、このステータ２７にコイル２８を巻装し、かつ前記ロータ２４の前記ステータ２７と対向する位置にマグネット２９を取付けている。」
　
・「【００１８】なお、被膜３４，３５の先端部に位置する回転軸２５にその周面に沿った溝をを設けることにより、被膜３４，３５と溝の両方で潤滑油の流れを止めることができ、より確実に潤滑油の流出を防止できる。次に、本発明の他の実施例を図面を参照して説明する。なお、前記実施例と同一部分には同一符号を付して詳細な説明を省略する。
【００１９】これは図３に示すように、焼結メタル含油軸受２３と回転軸２５との摺接面３３よりも外側近傍の回転軸２５上に、その摺接面に向って傾斜したテーパ溝４１，４２を形成し、この各テーパ溝４１，４２の底部から外側に４フッ化エチレン樹脂またはその共重合体からなる被膜３４，３５を被覆したものである。
【００２０】この実施例においては、焼結メタル含油軸受２３と回転軸２５との摺接面３３から流出する潤滑油は、テーパ溝４１，４２内において被膜３４，３５に接触するようになる。潤滑油が被膜３４，３５に接触すると、潤滑油に表面張力が生じ潤滑油の流動は停止される。
【００２１】そして図４に示すように流動が停止した潤滑油３８の一部は、モータの回転により図中実線矢印に示すように、回転軸２５の回転によって生じる遠心力によってテーパ溝４１，４２のテーパ面を上昇する方向に流動する。また別の一部はモータの回転による遠心力によって飛散する。こうして潤滑油３８は軸受保持部２２から外部に漏れ出すこと無く内部に止まるようになる。
【００２２】このように本実施例においても、前記実施例と同様に潤滑油が回転軸２５を伝わって軸受保持部２２から外部に漏れ出すのを防止できる。しかも本実施例では被膜３４，３５とテーパ溝４１，４２を併用しているので、油漏防止をより確実にできる。」
　
　また、図３及び図４には、焼結メタル含有軸受２３の開口端部に凹部が設けられ、該凹部には回転軸２５を囲繞する外周壁部が設けられた構成、及び、該回転軸２５の外周部のうち、該外周壁部と半径方向へ対向する部位には、テーパ溝４１が形成された構成が示されている。
　
　これらの記載事項及び図示内容を総合すると、引用例には、次の発明（以下、「引用発明」という。）が記載されていると認めることができる。
「回転軸２５の一端側に固定されたロータ２４と、前記回転軸２５を回転自在に支持する焼結メタル含有軸受２３と、前記焼結メタル含有軸受２３が嵌挿固定される軸受保持部２２を形成したハウジング２１と、前記軸受保持部２２の外周面に取付けたステータ２７と、このステータ２７に巻装したコイル２８と、前記ロータ２４の前記ステータ２７と対向する位置に取付けたマグネット２９と、を備えたモータにおいて、
　前記焼結メタル含有軸受２３の開口端部には凹部が設けられ、
　前記凹部には前記回転軸２５を囲繞する外周壁部が設けられ、
　前記回転軸２５の外周部のうち、前記外周壁部と半径方向へ対向する部位には、テーパ溝４１が形成された、モータ。」
　
（２）対比
　そこで、本願発明と引用発明とを対比すると、その作用・機能からみて、後者における「回転軸２５」が前者における「軸」に相当し、以下同様に、「一端側」が「一端部」に、「回転軸２５を回転自在に支持する焼結メタル含有軸受２３」が「軸が挿入されロータを回転支持するすべり軸受」に、「嵌挿固定」が「装着」に、「軸受保持部２２の外周面に取付けたステータ２７と、このステータ２７に巻装したコイル２８と、ロータ２４のステータ２７と対向する位置に取付けたマグネット２９と」を備えた「モータ」が「ブラシレスモータ」に、「テーパ溝４１」が「環状溝」に、それぞれ相当している。
　したがって、両者は、
「軸の一端部に固定されたロータと、前記軸が挿入され前記ロータを回転支持するすべり軸受と、前記すべり軸受が装着されるハウジングと、を備えたブラシレスモータにおいて、
　前記すべり軸受の開口端部には凹部が設けられ、
　前記凹部には前記軸を囲繞する外周壁部が設けられ、
　前記軸の外周部のうち、前記外周壁部と半径方向へ対向する部位には、環状溝が設けられた、ブラシレスモータ。」
の点で一致し、以下の点で相違している。
［相違点］
　軸の外周部のうち、軸受の外周壁部と半径方向へ対向する部位に設けられたものが、本願発明は、環状溝の他に「外周方向へ張り出した鍔部」であるのに対し、引用発明は、環状溝のみである点。
　
（３）判断
　上記相違点について検討する。
　例えば、原査定時に、周知例として提示された実願昭６２−１８４９１３号（実開平１−８７３２７号）のマイクロフィルム（特に第３図参照）にも見られるように、潤滑油の流出を防止するために、軸の外周部のうち、軸受の外周壁部と半径方向へ対向する部位に外周方向へ張り出した鍔部（油切りワッシャ）を設けるようにすることは、モータのすべり軸受け（メタル軸受け）の分野における周知技術といえるものである。
　したがって、潤滑油の流出を防止することを目的とした引用発明おいて、上記周知技術を適用して上記相違点に係る本願発明の構成とすることは、当業者が容易に想到し得たものというべきである。
　
　そして、本願発明の全体構成により奏される作用効果も、引用発明及び周知技術から当業者が予測できる範囲内のものである。
　
（４）むすび
　以上のとおり、本願発明は、引用発明及び周知技術に基いて、当業者が容易に発明をすることができたものであるから、特許法第２９条第２項の規定により特許を受けることができない。
　よって、結論のとおり審決する。